(57)【特許請求の範囲】
【請求項１】
天井開口部に設置される本体の下面を覆うパネルと、前記パネルに設けられ室内の空気を本体に吸込む開口部と、前記開口部に併設され前記本体側へ突出したパネル斜面部と、前記パネル取り付け用のねじと、前記パネル斜面部の両端近傍において前記ねじの取り付け穴を形成した底部を有するねじ取り付け部と、前記ねじ取り付け部に着脱自在に嵌合し前記パネル斜面部と同一形状面を形成するカバー斜面部を有するカバーとからなる天井取付形機器のパネルユニット。
【請求項２】
パネル斜面部の両端に立ち上がり面が形成され、カバーが前記立ち上がり面に隣接して取り付けられた請求項１に記載の天井取付形機器のパネルユニット。
【請求項３】
底部は、カバー取り付け時に前記カバーが当接する位置に形成され、前記カバーの前記底部に当接する当接部の一部に傾斜切り欠き部を設けた請求項１または２に記載の天井取付形機器のパネルユニット。
【請求項４】
底部は、パネル表面と連接する第２立ち上がり面を有し、前記第２立ち上がり面に上下方向のスリットを設け、カバーよりスリットを通過して前記第２立ち上がり面の外側へ突出する細長部を設け、前記細長部の先端に前記スリットより広げた拡大部を形成した請求項３に記載の天井取付形機器のパネルユニット。
【請求項５】
拡大部の回動中心を、第２立ち上がり面の厚さ分以上、下方へ移動させた請求項４に記載の天井取付形機器のパネルユニット。
【発明の詳細な説明】
【技術分野】
【０００１】
本発明は、天井に取り付ける浴室用換気乾燥機等の機器の下面を覆う天井取付形機器のパネルユニットに関する。
【背景技術】
【０００２】
従来、天井取付形機器のパネルユニットは、機器本体にねじ止めされるが、ねじが室内から見えないように化粧カバーで覆い、意匠性を向上させる工夫がされている（たとえば、特許文献１参照）。
【０００３】
以下、特許文献１に記載された浴室換気乾燥機における天井取付形機器のパネルユニットについて、図８および図９を参照しながら説明する。
【０００４】
図に示すように、パネル１０１には、ねじ穴１０２が設けられている。
【０００５】
ねじ穴１０２にねじ１０３を挿入し、天井面に設置されている本体のねじ固定部（図示せず）にねじ止めすることにより、パネル１０１は本体に固定される。ねじ穴１０２の下部には、カバー取り付け部１０４が設けられ、カバー１０５がカバー取り付け部１０４に、係合爪１０６により嵌合装着されている。
【０００６】
ねじ１０３は、カバー１０５により覆われ、見えない状態となる。
【特許文献１】特開２００５−３３４２号公報
【発明の開示】
【発明が解決しようとする課題】
【０００７】
このような従来の天井取付形機器のパネルユニットでは、カバー１０５とパネル１０１との境界がパネル１０１の表面とほぼ同一面上にあるので、浴室内のどの位置からも見ることができ、カバー１０５の存在が目立つこととなり、デザイン性が低下する。
【０００８】
一方、取り付け時においては、カバー１０５は、パネル１０１と分離するので、カバー１０５の付け忘れや紛失、あるいは落下による破損のおそれがあった。
【０００９】
また、取り外し時においては、カバー１０５はパネル１０１との隙間が目立たないように、カバー取り付け部１０４に緊密に取り付けられているので、カバー１０５周囲に隙間がなく、作業性が悪いという課題があった。
【００１０】
本発明は、このような従来の課題を解決するものであり、カバーを取り付けてもデザイン性を低下させることがなく、また、取り付け時においては、カバーのつけ忘れや紛失、あるいは落下による破損の恐れがなく、取り外し時においては、作業が容易となる天井取付形機器のパネルユニットを提供することを目的とする。
【課題を解決するための手段】
【００１１】
本発明の天井取付形機器のパネルユニットは、上記目的を達成するために、天井開口部に設置される本体の下面を覆うパネルと、前記パネルに設けられ室内の空気を本体に吸込む開口部と、前記開口部に併設され前記本体側へ突出したパネル斜面部と、前記パネル取り付け用のねじと、前記パネル斜面部の両端近傍において前記ねじの取り付け穴を形成した底部を有するねじ取り付け部と、前記ねじ取り付け部に着脱自在に嵌合し前記パネル斜面部と同一形状面を形成するカバー斜面部を有するカバーとからなるものである。
【００１２】
また、他の手段は、パネル傾斜面の両端に立ち上がり面が形成され、カバーが前記立ち上がり面に隣接して取り付けられたものである。
【００１３】
また、他の手段は、底部は、カバー取り付け時に前記カバーが当接する位置に形成され、前記カバーの前記底部に当接する当接部の一部に傾斜切り欠き部を設けたものである。
【００１４】
また、他の手段は、底部は、パネル表面と連接する第２立ち上がり面を有し、前記第２立ち上がり面に、上下方向のスリットを設け、カバーよりスリットを通過して前記第２立ち上がり面の外側へ突出する細長部を設け、細長部の先端に前記スリットより広げた拡大部を形成したものである。
【００１５】
また、他の手段は、拡大部の回動中心を、第２立ち上がり面の厚さ分以上、下方へ移動させたものである。
【発明の効果】
【００１６】
本発明によれば、天井開口部に設置される本体の下面を覆うパネルと、前記パネルに設けられ室内の空気を本体に吸込む開口部と、前記開口部に併設され前記本体側へ突出したパネル斜面部と、前記パネル取り付け用のねじと、前記パネル斜面部の両端近傍において前記ねじの取り付け穴を形成した底部を有するねじ取り付け部と、前記ねじ取り付け部に着脱自在に嵌合し前記パネル斜面部と同一形状面を形成するカバー斜面部を有するカバーとからなることにより、また、パネル斜面部の両端に立ち上がり面が形成され、カバーが前記立ち上がり面に隣接して取り付けられたことにより、カバーの立ち上がり面と接する境界は、パネル斜面部と立ち上がり面の交差線と同一のため、別部品との境界と認識されることがなく、デザイン性が向上するという効果のあるパネルユニットを提供することができる。
【００１７】
また、底部は、カバー取り付け時に前記カバーが当接する位置に形成され、前記カバーの前記底部に当接する当接部の一部に傾斜切り欠き部を設けたことにより、突出したカバーをつまむかカバー周囲に生じた隙間に指を入れることにより、カバーを取り外せるので、カバーを取り外すための先鋭な部材を準備する必要がないし、部材によりパネルの表面に傷をつけることもなく、容易にカバーの取り外しが可能になる。
【００１８】
また、底部は、パネル表面と連接する第２立ち上がり面を有し、前記第２立ち上がり面に上下方向のスリットを設け、カバーよりスリットを通過して前記第２立ち上がり面の外側へ突出する細長部を設け、前記細長部の先端に前記スリットより広げた拡大部を形成したことにより、カバーがパネルから離脱することがないため、カバーの紛失や作業時の落下はなくなる。
【００１９】
また、拡大部の回動中心を、第２立ち上がり面の厚さ分以上、下方へ移動させたことにより、カバーを取り外した際、ねじ取り付け部の外方へカバーが移動するので、ねじ止め作業の際、ねじ穴がカバーに隠れて見えにくくなったり、ドライバーを差込みにくかったりすることがなく、作業性が向上することとなる。
【発明を実施するための最良の形態】
【００２０】
本発明の請求項１記載の天井取付形機器のパネルユニットは、天井開口部に設置される本体の下面を覆うパネルと、前記パネルに設けられ室内の空気を本体に吸込む開口部と、前記開口部に併設され前記本体側へ突出したパネル斜面部と、前記パネル取り付け用のねじと、前記パネル斜面部の両端近傍において前記ねじの取り付け穴を形成した底部を有するねじ取り付け部と、前記ねじ取り付け部に着脱自在に嵌合し前記パネル斜面部と同一形状面を形成するカバー斜面部を有するカバーとからなるものであり、底部に形成した取り付け穴にねじを通してパネルを取り付けた後、ねじ取り付け部にカバーを装着することにより、ねじとねじ取り付け部はカバーにより隠蔽されるとともに、パネル斜面部とカバー斜面部は、同一面を形成し、段差等が見えにくくなる。また、カバーが取り付けられるパネル斜面部はパネル表面より本体側へ突出しているため、凹部となり、かつ、カバーはパネル斜面部の両端部に位置しているため、パネルが陰になってカバーの境界部分が死角になるという作用を有する。
【００２１】
また、請求項２記載の天井取付形機器のパネルユニットは、パネル斜面部の両端に立ち上がり面が形成され、カバーが前記立ち上がり面に隣接して取り付けられたものであり、カバーが立ち上がり面に隣接して取り付けられているため、カバーの境界の一部はパネル斜面部と立ち上がり面の交差線と同一となり、交差線と見分けがつかなくなる。
【００２２】
また、請求項３記載の天井取付形機器のパネルユニットは、底部は、カバー取り付け時に前記カバーが当接する位置に形成され、前記カバーの前記底部に当接する当接部の一部に傾斜切り欠き部を設けたものであり、カバーの一部を押したとき、傾斜切り欠き部が底部まで移動することにより、カバーが所定の位置から回動し、カバーの一部がパネル表面より室内側に突出すると同時に、カバーとパネルの間に隙間が生じることとなる。
【００２３】
また、請求項４記載の天井取付形機器のパネルユニットは、底部は、パネル表面と連接する第２立ち上がり面を有し、前記第２立ち上がり面に上下方向のスリットを設け、カバーよりスリットを通過して前記第２立ち上がり面の外側へ突出する細長部を設け、前記細長部の先端に前記スリットより広げた拡大部を形成したものであり、カバーを取り外した際、カバーは下方に移動するが、拡大部がスリットで引っ掛かり、カバーはそれ以上落下しなくなる。
【００２４】
また、請求項５記載の天井取付形機器のパネルユニットは、第２拡大部の回動中心を、立ち上がり面の厚さ分以上、下方へ移動させたものであり、カバーを取り外した際、カバーは下方に移動し、拡大部がスリットで引っ掛かるが、拡大部の回動中心が立ち上がり面の厚み分以上、移動しているので、カバーは厚み分のみ回動し、ねじ取り付け部の外方へ移動することとなる。
【００２５】
以下、本発明の実施の形態について、図１〜図７を参照しながら説明する。
【００２６】
（実施の形態１）
図１〜図４に示すように、浴室２３の天井（図示せず）に設けられた天井開口部１に浴室用換気乾燥機の本体２が設置されている。
【００２７】
本体２内部には、循環用ファン２２、熱交換器１９および換気用ファン２０が内蔵されている。
【００２８】
本体２の下面を覆うパネル３には、本体２側へ突出した横長状のパネル斜面部４と、パネル斜面部４の両端に形成され、パネル斜面部４を支持する立ち上がり面５と、パネル斜面部４に並行隣接しかつ天井面に対し略垂直に形成され、浴室２３の空気を本体に吸込むための開口部６とが設けられている。
【００２９】
パネル斜面部４、立ち上がり面５および開口部６はセットで形成されるが、吸込み抵抗と外観のバランスより、大きなものを１セットだけ設ける場合もあれば、小さなものを複数セット設ける場合もある。
【００３０】
パネル斜面部４の両端部近傍には、ねじ７を挿通する取り付け穴８が形成された底部９を有するねじ取り付け部１０が矩形かつ凹形状に設けられ、本体２には、取り付け穴８と対向する位置に、ねじ固定穴１１が設けられている。
【００３１】
ねじ取り付け部１０にカバー１２がはめ込まれ、その外形状はねじ取り付け部１０の内形状とほぼ同形状かつわずかに小さく作られており、境界を目立ちにくくするとともに、嵌合の摩擦によりカバーの脱落を防止している。
【００３２】
カバー１２の表面はパネル斜面部４と同形状のカバー斜面部１３を有しており、ねじ取り付け部１０の外側内面２１は、立ち上がり面５と一致するよう形成されている。
【００３３】
さらに、パネル３には、浴室への温風吹出し口１４が形成され、温風吹出し口１４には、開閉自在の電動式風向ルーバー１５が設置されている。
【００３４】
パネル３の温風吹出し口１４内部には、ねじ１６を挿通する第２の取り付け穴１７が設けられ、本体２には、取り付け穴８と対向する位置に、第２のねじ固定穴１８が設けられている。
【００３５】
上記構成において、循環ファン２２により、パネル３の開口部６から吸込まれた浴室空気は、熱交換器１９で暖められ、温風吹出し口１４より、電動風向ルーバー１５を介して浴室２２に吹出されて暖房したり、換気ファン２０により開口部６から浴室空気を吸込み、屋外へ接続されたダクト（図示せず）により、排気することとなるが、開口部６は、天井面に対して略垂直に形成されているので、下から見ても、本体２の内部が見えず、デザイン性を向上させている。
【００３６】
一方、パネル斜面部４は、略垂直に形成された開口部６に対し、下から吸込んだ空気を抵抗なく開口部６へすなわち水平方向へ偏向するために、有効に働くこととなる。
【００３７】
続いて、パネル３の固定について、説明する。
【００３８】
パネル３の温風吹出し口１４側は、第２の取り付け穴１７に挿通されたねじ１６が本体２の第２のねじ固定穴１８にねじ止めされるが、本体停止時は、電動風向ルーバー１５が閉じるので、ねじ１６は隠れて下から見えることはない。
【００３９】
また、パネル斜面部４側は、取り付け穴８に挿通されたねじ７が、本体２のねじ固定穴１１にねじ止めされるが、その下からカバー１２がねじ取り付け部１０にはめ込まれ、ねじ７とねじ取り付け部１０を隠蔽する。
【００４０】
また、カバー１２の表面に形成されたカバー斜面部１３とパネル斜面部４は同一形状なので、段差が発生しないし、カバー１２は、パネル３表面より上方に後退したパネル斜面部４の両端部にあるので、パネル３表面の死角となり、目立ちにくくなる。
【００４１】
さらに、パネル斜面部４の両端に形成された立ち上がり面５とねじ取り付け部１０の外側内面２１は一致しているため、カバー１２の境界は、立ち上がり面５に密着することになり、目立ちにくくなる。
【００４２】
このように、本発明の実施の形態１のパネルユニとによれば、パネル３の取り付け用のねじ７はカバー１２により隠され、かつカバー１２とパネル斜面部４との境界は、カバー斜面部１３とパネル斜面部が同形状のため段差がなく、かつ、パネル３表面より奥にあるため、パネル３が陰になり、目立ちにくくなるので、デザイン性が向上することとなる。
【００４３】
また、パネル斜面部４の両端に形成された立ち上がり面５とねじ取り付け部１０の外側内面２１は一致しているため、カバー１２の境界は、立ち上がり面５に密着することになり、視野に入っていても、パネル斜面部４と立ち上がり面５とが交差するところで形成される交差線と同じ形状となるため、境界線と区別がつかず、カバーの存在が認識されにくくなるため、デザイン性が向上することとなる。
【００４４】
（実施の形態２）
図５に示すように、底部９は、カバー１２がねじ取り付け部１０に嵌め込まれた時、パネル斜面部４とカバー斜面部１３が同一面を形成する位置に設けられており、このとき、カバー１２の当接部３０が、底部９に当接している。
【００４５】
また、当接部３０には、一部に傾斜切欠き部３１が設けられている。
【００４６】
上記構成において、カバー１２を取り外すときは、傾斜切欠き部３１の近傍を上方へ押圧すれば、傾斜切欠き部３１が底部９まで移動し、カバー１２がねじ取り付け部１０の内部で回動し、カバー１２の周囲に隙間を生じさせることができるとともに、カバー１２はパネル３の表面より一部が突出する。
【００４７】
このように実施の形態２の発明によれば、設置状態ではカバー１２の周囲にはほとんど隙間がないが、傾斜切欠き部３１の近傍を上方へ押圧することにより、カバー１２の周囲に隙間を生じさせることができるとともに、カバー１２はパネル３の表面より一部が突出するので、工具を使うことなく、容易にかつパネル３の表面を傷つけることなくカバー１２を取り外すことができ、取り外しの作業性が向上することとなる。
【００４８】
（実施の形態３）
図６および図７に示すように、底部９とパネル３表面を連接する第２立ち上がり面３２を設け、第２立ち上がり面３２に上下方向のスリット３３を形成し、カバー１２より、スリット３３を通過して、第２立ち上がり面３２の外側まで突出した細長部３４を設け、細長部３４の先端には、スリット３３の幅より広い拡大部３５を細長部３４に直交するように形成している。そして、拡大部３５の回動中心３６は、第２立ち上がり面３２の厚さｔよりも少し大きく下方へ移動している。
【００４９】
上記構成において、カバー１２をねじ取り付け部１０より取り外したとき、拡大部３５がスリット３３に引っ掛かり、カバー１２は、パネル３か離脱せず、落下することがない。
【００５０】
そして、カバー１２をねじ取り付け部１０より取り外して、スリット３３の下端に至り、吊り下がられた状態で保持されるとき、回動中心３６が第２立ち上がり面３２の厚さｔよりも少し大きく外側へ移動したことになり、カバー１２は回動中心３６を軸に回転し、ねじ取り付け部１０の外側へ移動する。
【００５１】
このように実施の形態３のパネルユニットによれば、カバー１２がパネル３から、分離することがないので、カバーの付け忘れや紛失、あるいは落下による破損のおそれがなくなる。
【００５２】
また、カバー１２は取り外してスリット３３の下端で保持される時、ねじ取り付け部１０の外側へ移動するので、ねじを締めたりはずしたりする際に、ねじ７の位置が容易に確認できるとともに、ドライバーを使いやすくなり、ねじ締め、ねじはずしの作業性が向上することとなる。
【産業上の利用可能性】
【００５３】
パネルの斜面部の両端に取り付けたカバーを用いて容易にねじの隠蔽ができ、天井に設置する換気扇の意匠パネルの用途にも適用できる。
【図面の簡単な説明】
【００５４】
【図１】本発明の実施の形態１のパネルユニットのねじカバーの片方をはずした状態を示す正面図
【図２】同パネルユニットの斜視図
【図３】同パネルユニットの開口部を示す斜視図
【図４】同パネルユニットのねじ取り付け部を示す斜視図
【図５】本発明の実施の形態２のパネルユニットの要部斜視図
【図６】本発明の実施の形態３のパネルユニットのねじ取り付け部を示す斜視図
【図７】同パネルユニットの要部斜視図
【図８】従来のパネルユニットの正面図
【図９】同パネルユニットのねじ取り付け部を示す断面図
【符号の説明】
【００５５】
１      天井開口部
２      本体
３      パネル
４      パネル斜面部
５      立ち上がり面
６      開口部
７      ねじ
８      取り付け穴
９      底部
１０    ねじ取り付け部
１２    カバー
１３    カバー斜面部
１６    ねじ
３０    当接部
３１    傾斜切欠き部
３２    第２立ち上がり面
３３    スリット
３４    細長部
３５    拡大部
３６    回動中心
【図１】
0004784581.tif 000002
【図２】
0004784581.tif 000003
【図３】
0004784581.tif 000004
【図４】
0004784581.tif 000005
【図５】
0004784581.tif 000006
【図６】
0004784581.tif 000007
【図７】
0004784581.tif 000008
【図８】
0004784581.tif 000009
【図９】
0004784581.tif 000010